(57)【要約】【課題】バックスウィングするときに、体がスウェーするのを防止して、正しいフォームにより安定したショットを放つことができるゴルフシューズを提供する。【解決手段】着用して立った場合に、足の幅方向の内側部位が足の幅方向の外側部位よりも下方に位置するように構成される。靴のソール部は、足が接触する中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成される。上記アウトソールの幅方向内側部位には、地面に接地した場合に地面に食い込み得る複数の突起が設けられる。【選択図】図１
0003110186.tif 000002
【実用新案登録請求の範囲】
【請求項１】
着用して立った場合に、足の幅方向の内側部位が足の幅方向の外側部位よりも下方に位置するように構成されたことを特徴とするシューズ。
【請求項２】
靴のソール部は、靴内方に配設される中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成されていることを特徴とする請求項１記載のシューズ。
【請求項３】
上記アウトソールの幅方向内側部位には、地面に接地した場合に地面に食い込み得る複数の突起が設けられていることを特徴とする請求項１又は２記載のシューズ。
【請求項４】
靴のアッパー部及びソール部は、足の横断面形状に適合した形状の木型により作成されると共に、上記木型が幅方向内側に向かって傾斜した状態においてアッパー部及びソール部が形成されていることを特徴とする請求項１、２又は３記載のシューズ。
【請求項５】
上記木型は幅方向内側に５度傾斜してアッパー部及びソール部が形成されていることを特徴とする請求項４記載のシューズ。
【請求項６】
上記ミッドソールは、幅方向内側部位と幅方向外側部位との間で硬度に約１０％〜２０％の差異があることを特徴とする請求項２、３、４又は５記載のシューズ。
【考案の詳細な説明】
【技術分野】
【０００１】
本考案はシューズにかかり、特に、ゴルフシューズの改良に関する。
【背景技術】
【０００２】
クラブで球を打つ場合において、クラブをバックスウィングするときに、足元が安定しないと、プレイヤーの重心が右足へ移動する際に、体がスウェーしやすいという問題がある。
【０００３】
そのため、スウィングするときに、体の中心軸が本来の位置からズレてしまい、正しいフォームで球を打つことができず、球筋が乱れ、その結果、意図する方向へ球が飛ばない場合が多かった。
【０００４】
従来、特許文献１に示されたように、スウィングするときのフォームを安定させるために、ソールの底面が幅方向内側から外側へ向かって１０度〜２０度の下り傾斜状になるように形成されたゴルフシューズが公知である。
【特許文献１】登録実用新案公報第３０７１２３７号
【０００５】
しかしながら、上記公知例のゴルフシューズは、ソール底面の傾斜角度が一定なので、Ｏ脚の人もＸ脚の人も、脚の形状の差異に拘わらず、誰でも同一角度だけ脚が傾くことになるので、プレイヤーによっては、その傾斜角度が合わず、アドレスが無理な姿勢になって打ちにくいという不具合がある。
即ち、例えば、Ｏ脚の人は無理にＸ脚になるように脚の形状を規制されることになるので、アドレスが苦しい姿勢となってショットしにくくなる。
【考案の開示】
【考案が解決しようとする課題】
【０００６】
そこで本考案は、バックスウィングする際の、体のスウェーを防止して、正しいフォームにより安定したショットを放つことができるゴルフシューズの提供を課題とする。
【課題を解決するための手段】
【０００７】
上記課題を解決するために、請求項１記載のシューズは、着用して立った場合に、足の幅方向の内側部位が足の幅方向の外側部位よりも下方に位置するように構成されたことを特徴とするものである。
【０００８】
即ち、請求項１記載のシューズにあっては、プレイヤーがこれを着用してグラウンドに立った場合に、重心が足の幅方向内側部位にかかり、その結果、下腿部が内方へ傾斜して膝が閉じ、脚がＸ脚のような形状になる。従って、重心が体の正中線に位置することから体がぐらつかなくなる。
【０００９】
また、請求項２記載のシューズは、靴のソール部は、靴内方に配設される中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成されていることを特徴とする。
【００１０】
即ち、請求項２記載のシューズにあっては、重心がかかったときに上記ミッドソールの幅方向内側部位が圧縮されるように変形することになる。従って、脚の幅方向内側部位が幅方向外側部位よりも下方へ沈む状態となる。
【００１１】
また、請求項３記載のシューズは、上記アウトソールの幅方向内側部位には、地面に接地した場合に地面に食い込み得る複数の突起が設けられていることを特徴とする。
【００１２】
即ち、請求項３記載のシューズにあっては、上記アウトソールの幅方向内側部位に形成された複数の突起が地面に接地した際に地面に食い込むことになるので、足の幅方向内側部位が地面から離れて浮き上がるのが防止される。
【００１３】
また、請求項４記載のシューズは、靴のアッパー部及びソール部が、足の横断面形状に適合した形状の木型により作成されると共に、上記木型が幅方向内側に向かって傾斜した状態においてアッパー部及びソール部が形成されていることを特徴とする。
【００１４】
即ち、請求項４記載のシューズにあっては、木型の形状に倣ってアッパー部及びソール部の形状が決定され、上記木型が幅方向内側に向かって傾斜していることにより、アッパー部及びソール部も幅方向内側に向かって傾斜することになる。
【００１５】
また、請求項５記載のシューズは、上記木型は幅方向内側に5度傾斜してアッパー部及びソール部が形成されていることを特徴とする。
【００１６】
即ち、請求項５記載のシューズにあっては、木型の形状に倣って形成されたアッパー部及びソール部も幅方向内側に5度傾斜した形状となる。
【００１７】
また、請求項６記載のシューズは、上記ミッドソールが、幅方向内側部位と幅方向外側部位との間で硬度に約１０％〜２０％の差異があることを特徴とする。
【００１８】
即ち、請求項６記載のシューズにあっては、幅方向内側部位と幅方向外側部位との間に存在する硬度差によって幅方向内側部位の変形量が調整されている。
【考案の効果】
【００１９】
請求項１記載のシューズは、着用して立った場合に、足の幅方向の内側部位が足の幅方向の外側部位よりも下方に位置するように構成されたことから、重心が足の幅方向内側部位にかかることになるので、足元が安定し、バックスウィングするときに、ショット方向の後方側に位置する足の幅方向外側部位へ重心が過剰に移動することがなくなり、これにより体がスウェーするのを防止することができる。
従って、スウィングするときに、体の中心軸が本来の位置からズレにくくなり、正しいフォームが崩れるのを防止することができる。その結果、ショットするときのフォームが安定して、望みの方向へ球を飛ばすことができる。
また、本考案に係るシューズを使用して歩行する際に、段差等に足を置いた場合であっても、重心が足の幅方向外側部位へ移動して足首が返るのを防止できるので、捻挫しにくくなる。
【００２０】
また、請求項２記載に係るシューズは、靴のソール部が、足が接触する中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成されていることから、重心がかかったときの、上記ミッドソールの圧縮変形を利用して容易に足の幅方向内側部位を足の幅方向外側部位よりも下方に位置させることができる。
また、重心のかけ具合でミッドソール内側部位の変形量を加減して足の幅方向内側部位の沈み量を調整することができる。従って、上記公知例のソールのごとく、底面傾斜角度が一定なために脚の形状に無理が生じるようなことがなく、楽な姿勢でプレイすることができる。
また、上記ミッドソールは上記のように変形するが、そのミッドソールはアウトソールと中底の間に配置されていることから、ミッドソールの変形の影響が足や地面に及ぶことがなく、中底により足に対する良好なフィット性が確保される。
【００２１】
また、請求項３記載のシューズは、上記アウトソールの幅方向内側部には、地面に接地した場合に地面に食い込み得る複数の突起が設けられていることから、
アウトソールにおける足の内側部位の地面に対するグリップ性が向上する。これにより、バックスウィングするときに足の幅方向内側部位が地面から浮き上がって重心が足の幅方向外側部位へ移動するのを防止することができる。従って、足元が安定し、スウェーしなくなり、フォームも安定して、思い通りのショットを放つことができる。
【００２２】
また、請求項４記載のシューズは、靴のアッパー部及びソール部が、足の横断面形状に適合した形状の木型により作成されると共に、上記木型が幅方向内側に向かって傾斜した状態においてアッパー部及びソール部が形成されていることから、上記木型に倣って形成されたアッパー部及びソール部も幅方向内側に向かう傾斜を有することになる。
従って、上記ミッドソールの変形が小さくて十分な沈み量が得られない場合でも、このアッパー部とソール部の傾斜がそれを補うことになる。その結果、プレイヤーがこれを着用してティーグラウンドに立った場合に、足の幅方向の内側部位が足の幅方向の外側部位よりも下方に位置する状態が確実に確保されることになる。
【００２３】
また、請求項５記載のシューズは、上記木型が幅方向内側に5度傾斜してアッパー部及びソール部が形成されていることから、アッパー部及びソール部も幅方向内側に５度に傾斜することになる。この傾斜角度５度は、足にとって履いた場合に違和感がない角度であり、履き心地が悪化することがない。
また、傾斜角度が５度より小さいと、傾斜が足らず、足の幅方向内側部位が外側部位よりも下方に位置する状態が確保しにくくなるが、５度にしたことにより確実に上記状態を確保することができる。
逆に、傾斜角度が５度よりも大きくなると、ソールの内側部位の変形と相俟って傾斜が過大になり、履いた場合に違和感が生じて履き心地が悪化するという不具合が生じるが、傾斜角度を５度に設定したことにより、そのような不具合を解消することができる。
【００２４】
また、請求項６記載のシューズは、上記ミッドソールが、幅方向内側部位と幅方向外側部位との間で硬度に約１０％〜２０％の差異があることから、この硬度差によって重心がかかったときに幅方向内側部位が幅方向外側部位よりも圧縮しやすくなる。
その結果、幅方法内側部位が沈むような状態になって、ティーグラウンドに着用して立った場合に、足の幅方向の内側部位が足の幅方向の外側部位よりも下方に位置することになる。
これにより、足の幅方向の内側部位に重心がかかってバックスウィングする際にショット方向の後方側に位置する足の幅方向外側へ重心が過剰に移動することがなくなり、体がスウェーするのを防止することができる。
また、幅方向内側部位と幅方向外側部位との間に存在する硬度差が約１０％〜２０％であることから、幅方法内側部位の圧縮による沈み量が過小にも過大にもならず、適度な沈み量が得られるので、履いた場合に、足に違和感がなく、足元が安定する。
従って、ショットする際のフォームが安定し、望みの方向へ球を飛ばすことができる。
【考案を実施するための最良の形態】
【００２５】
以下、図面に基づき本考案の実施の形態について説明する。
本実施形態に係るゴルフシューズ１は、図１に示すように、着用して立った場合に、足の幅方向の内側部位が足の幅方向の外側部位よりも下方に位置するように構成されている。
また、靴のソール部２は、図１に示すように、足が接触する中底５と、接地面に接触するアウトソール６と、上記中底５とアウトソール６との間に配置されたミッドソール７とにより構成され、上記ミッドソール７は、幅方向の内側部位が幅方向外側部位よりも低い硬度の素材で形成されている。
また、上記アウトソール６の幅方向内側部位３には、図１に示すように、地面２３に接地した場合に地面に食い込み得る複数の突起１１が設けられている。
また、靴のアッパー１８部及びソール部２は、図３に示すような足の横断面形状に適合した形状の木型１９により作成されると共に、上記木型１９が幅方向内側に向かって傾斜した状態においてアッパー部１８及びソール部２が形成されている。
また、上記木型１９は、図３に示すように、幅方向内側に5度傾斜してアッパー部２０及びソール部２１が形成されている。      
また、上記ミッドソール７は、幅方向内側部位と幅方向外側部位との間で硬度に約１０％〜２０％の差異があるように形成されている。
【実施例１】
【００２６】
以下、図示した本考案の実施例について説明する。
本実施例に係るゴルフシューズ１は、図１に示すように、着用して立った場合に、足の幅方向の内側部位が足の幅方向の外側部位よりも下方に位置するように構成されている。
【００２７】
上記のように、足の幅方向の内側部位を足の幅方向の外側部位よりも下方に位置させるために、本実施例に係るゴルフシューズ１では、そのソール部２における幅方向内側部位３が幅方向外側部位４よりも軟らかく形成されている。
【００２８】
上記ソール部２は、図１に示すように、三層構造に形成されている。即ち、足裏が接触する中底５と、地面２３（芝や草が生えている個所も含む）に接触するアウトソール６と、上記中底５とアウトソール６との間に配置されたミッドソール７とにより構成されている。
なお、実際に使用する場合は、一般的に上記中底５の上に中敷（図示せず）が敷設される。
【００２９】
上記中敷（図示せず）は、履くだけで足に馴染みやすい変形性のスポンジを用いて形成されている。
【００３０】
上記ソール部２における中間部に配置された上記ミッドソール７は、ＥＶＡ樹脂により形成されている。
【００３１】
上記ミッドソール７は、幅方向の内側部位が幅方向外側部位よりも低い硬度の素材で形成されている。
即ち、図１に示すように、上記ミッドソール７の幅方向内側部位には、ソフトなＥＶＡ８が使用され、幅方向外側部位にはハードなＥＶＡ９が使用されている。
【００３２】
上記ミッドソール７は、幅方向内側部位と幅方向外側部位との間で硬度に約１０％〜２０％の差異があるように形成されている。
本実施例に係るミッドソール７では、上記ソフトなＥＶＡ８が硬度６０度に設定され、又、上記ハードなＥＶＡ９が硬度７５度に設定されている。
【００３３】
地面に接触する上記アウトソール６は硬質ラバー素材により形成されている。
【００３４】
上記アウトソール６は、図２に示すように、その裏面部における幅方向内側部位に前後方向に沿って、土踏まず部位１０を除く部位に、複数の突起１１が形成されている。
【００３５】
上記突起１１は、地面２３に接地した場合に、地面に食い込みやすい形状を有している。即ち、図１に示すように、先細の略逆円錐台形に形成されている。
【００３６】
上記突起１１は、図１に示すように、幅方向外側部位４側から幅方向内側部位３側にかけて同一高さ寸法に形成されている。
この場合、上記のように、幅方向内側に５度傾斜する木型１９によりアッパー部１８及びソール部２が形成され、また、上記ミッドソール７は、ＥＶＡ８は硬度６０度に設定されてソフトに形成されると共に、又、ＥＶＡ９は硬度７５度に設定されてハードに形成されていることから、装用した場合には、靴１の幅方向外側部位４側の突起１１ｂよりも幅方向内方側部位３側の突起１１ａ側に、より装着者の重心がかかりグリップ性が良好になる。    
なお、アスファルト道路を歩行する場合は、上記突起１１が道路に食い込まないので、上記突起１１の長さの違いにより、幅方向内側部位３の方が高くなるが、ソール部２に形成された傾斜と相殺することにより、結果的にソール部２は略水平になるので、歩行が困難になるという不具合はない。
【００３７】
上記土踏まず部１０には、図２に示すように、スウィング時のソール部２の捩れを防ぐと共に、歩行時に重心を支えて疲れを軽減しうるように硬質樹脂で形成されたサイドプレート１２が配置されている。
このサイドプレート１２には幅方向に沿って複数の溝１３が平行に形成されている。
【００３８】
また、図２に示すように、上記アウトソール６の裏面部における幅方向外側部位にも、前後方向に沿って硬質樹脂で形成された複数のサイドプレート１４が配置されている。
上記サイドプレート１４には、アウトソール６の幅方向外側の輪郭線に沿って滑り止め用の複数の溝１５が平行に形成され、それら溝１５により区画された部位に細長板状の凸部１６が形成されている。
【００３９】
上記グリップ突起部１４は、アウトソール６の裏面部における幅方向外側部位４が地面２３に食い込みにくくなるように形成されている。
即ち、上記グリップ突起部１４に設けられた凸部１６は、地面２３に食い込みにくいように、図１に示すように、表面が平らに形成されている。
【００４０】
また、アウトソール６の裏面部において、上記幅方向内側部位３に設けられた複数の突起１１の間には、地面に対するグリップ力を高めるために、図２に示すように、適宜な配置で複数のスパイクが１７取り付けられている。
また、アウトソール６の裏面部において、上記幅方向外側部位４における複数のサイドプレート１４の間にも、図２に示すように、適宜な配置で複数のスパイクが１７が取り付けられている
【００４１】
上記ゴルフシューズ１の上記ソール部２と、ゴルフシューズ１のアッパー部１８は、図３に示すような足の横断面形状に適合した形状の木型１９により形成されている。
【００４２】
上記木型１９は、図３に示すように、水平面に対し垂直な上下方向の軸線２２が幅方向内側に向かって５度傾斜させられて設置され、そのアッパー部２０及びソール部２１も幅方向内側に5度傾斜している。      
従って、上記木型１９に倣って形成されたゴルフシューズ１のアッパー部１８及びソール部２も、図１に示すように、幅方向内側に向かって５度傾斜した状態で形成されている。
【００４３】
本実施例に係るゴルフシューズ１は、プレイヤーがこれを着用してグラウンドに立った場合に、足の幅方向の内側部位が足の幅方向の外側部位よりも下方に位置するようになるので、足の幅方向内側部位に重心がかかるようになる。
従って、膝が開かず、足元が安定し、バックスウィングするときに、ショット方向の後方側に位置する足の幅方向外側部位へ重心が過剰に移動することがなくなり、これにより体がスウェーしなくなる。
その結果、スウィングするときに、体の中心軸が本来の位置からズレにくくなり、正しいフォームを維持することができる。これにより、ショットするときのフォームが安定して、望みの方向へ球を飛ばすことができる。
また、歩行する際には、重心が足の幅方向内側に位置することから、歩行路の段差、くぼみ等に足を置いた場合に重心足の幅方向外側へ移動して足首を捻る事態を防止できるため、足が捻挫しにくくなる。
また、ゴルフシューズ１のソール部２は、足が接触する中底５と、地面に接触するアウトソール６と、上記中底５とアウトソール６との間に配置されたミッドソール７とにより構成され、上記ミッドソール７は、幅方向の内側部位が幅方向外側部位よりも低い硬度の素材で形成されているので、重心がソール部２にかかった際に、上記ミッドソール７における内側部位が圧縮して、幅方向内側部位が沈む状態となる。
これにより、足の幅方向の内側部位が足の幅方向の外側部位よりも自然に下方へ位置する状態になる。
また、上記ミッドソール７は、幅方向内側部位と幅方向外側部位との間で硬度に約１０％〜２０％の差異があることから、幅方向内側部位が適度に圧縮され、その幅方向内側部位が過度に沈んだり、沈み量が足りないという不具合がない。
また、圧縮変形されるミッドソール７の上に中底５が配置されるので、足の裏にはミッドソール７の変形の影響が及ばず、中底５が足の裏に接触することにより良好なフィット感が得られる。
また、上記アウトソール６の幅方向内側部位３に形成された突起１１が、地面に接地した場合に地面に食い込むので、地面に対するグリップ性が向上する。
また、ゴルフシューズ１のアッパー部１８及びソール部２は、足の横断面形状に適合した形状の木型１９により容易かつ正確な形状に形成される。
そして、上記木型１９が幅方向内側に向かって５度傾斜していることから、上記アッパー部１８及びソール部２も、それに倣って、幅方向内側に向かって5度傾斜するように形成される。これにより、上記ミッドソール７の圧縮変形が不充分であっても、上記5度の傾斜がそれを補うことになるので、ソール部２の幅方向内側部位に確実に重心がかかり、足元が安定して体のスウェーが防止され、安定したフォームでナイスショットを放つことができる。
なお、上記実施の形態及び実施例にあっては、本考案に係るシューズをゴルフシューズに適用した場合を例に説明したが、上記実施の形態及び実施例に限定されず、スポーツシューズ又は一般の靴に関しても広く適用することができる。
【産業上の利用可能性】
【００４４】
本考案は、全てのシューズに適用可能である。
【図面の簡単な説明】
【００４５】
【図１】断面図である。
【図２】アウトソールの裏面図である。
【図３】木型の断面図である。
【符号の説明】
【００４６】
１    ゴルフシューズ
２    ソール部
３    幅方向内側部位
４    幅方向外側部位
５    中底
６    アウトソール
７    ミッドソール
８    ソフトＥＶＡ
９    ハードＥＶＡ
１０  土踏まず部位
１１  突起
１２  サイドプレート
１３  溝
１４  グリップ突起部
１５  溝
１６  凸部
１７  スパイク
１８  アッパー部
１９  木型
２０  アッパー部
２１  ソール部
２２  軸線
２３  地面
【図１】
0003110186.tif 000003
【図２】
0003110186.tif 000004
【図３】
0003110186.tif 000005
【手続補正書】
【提出日】平成16年7月20日(2004.7.20)
【手続補正１】
【補正対象書類名】実用新案登録請求の範囲
【補正対象項目名】全文
【補正方法】変更
【補正の内容】
【実用新案登録請求の範囲】
【請求項１】
着用して立った場合に、足の幅方向の内側部位が足の幅方向の外側部位よりも下方に位置するように構成され、上記靴のソール部は、靴内方に配設される中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成されていることを特徴とする請求項１記載のシューズ。
【請求項２】
上記アウトソールの幅方向内側部位には、地面に接地した場合に地面に食い込み得る複数の突起が設けられていることを特徴とする請求項１記載のシューズ。
【請求項３】
靴のアッパー部及びソール部は、足の横断面形状に適合した形状の木型により作成されると共に、上記木型が幅方向内側に向かって傾斜した状態においてアッパー部及びソール部が形成されていることを特徴とする請求項１又は２記載のシューズ。
【請求項４】
上記木型は幅方向内側に５度傾斜してアッパー部及びソール部が形成されていることを特徴とする請求項３記載のシューズ。
【請求項５】
上記ミッドソールは、幅方向内側部位と幅方向外側部位との間で硬度に約１０％〜２０％の差異があることを特徴とする請求項１、２、３又は４記載のシューズ。
【手続補正２】
【補正対象書類名】明細書
【補正対象項目名】全文
【補正方法】変更
【補正の内容】
【考案の詳細な説明】
【技術分野】
【０００１】  本考案はシューズにかかり、特に、ゴルフシューズの改良に関する。
【背景技術】
【０００２】  クラブで球を打つ場合において、クラブをバックスウィングするときに、足元が安定しないと、プレイヤーの重心が右足へ移動する際に、体がスウェーしやすいという問題がある。【０００３】  そのため、スウィングするときに、体の中心軸が本来の位置からズレてしまい、正しいフォームで球を打つことができず、球筋が乱れ、その結果、意図する方向へ球が飛ばない場合が多かった。【０００４】  従来、特許文献１に示されたように、スウィングするときのフォームを安定させるために、ソールの底面が幅方向内側から外側へ向かって１０度〜２０度の下り傾斜状になるように形成されたゴルフシューズが公知である。
【特許文献１】登録実用新案公報第３０７１２３７号
【０００５】  しかしながら、上記公知例のゴルフシューズは、ソール底面の傾斜角度が一定なので、Ｏ脚の人もＸ脚の人も、脚の形状の差異に拘わらず、誰でも同一角度だけ脚が傾くことになるので、プレイヤーによっては、その傾斜角度が合わず、アドレスが無理な姿勢になって打ちにくいという不具合がある。
即ち、例えば、Ｏ脚の人は無理にＸ脚になるように脚の形状を規制されることになるので、アドレスが苦しい姿勢となってショットしにくくなる。
【考案の開示】
【考案が解決しようとする課題】
【０００６】  そこで本考案は、バックスウィングする際の、体のスウェーを防止して、正しいフォームにより安定したショットを放つことができるゴルフシューズの提供を課題とする。
【課題を解決するための手段】
【０００７】  上記課題を解決するために、請求項１記載のシューズは、着用して立った場合に、足の幅方向の内側部位が足の幅方向の外側部位よりも下方に位置するように構成され、靴のソール部は、靴内方に配設される中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成されていることを特徴とする。【０００８】  即ち、請求項１記載のシューズにあっては、プレイヤーがこれを着用してグラウンドに立った場合に、重心が足の幅方向内側部位にかかり、その結果、下腿部が内方へ傾斜して膝が閉じ、脚がＸ脚のような形状になる。従って、重心が体の正中線に位置することから体がぐらつかなくなる。
即ち、重心がかかったときに上記ミッドソールの幅方向内側部位が圧縮されるように変形することになる。従って、脚の幅方向内側部位が幅方向外側部位よりも下方へ沈む状態となる。【０００９】  また、請求項２記載のシューズは、上記アウトソールの幅方向内側部位には、地面に接地した場合に地面に食い込み得る複数の突起が設けられていることを特徴とする。【００１０】  即ち、請求項２記載のシューズにあっては、上記アウトソールの幅方向内側部位に形成された複数の突起が地面に接地した際に地面に食い込むことになるので、足の幅方向内側部位が地面から離れて浮き上がるのが防止される。【００１１】  また、請求項３記載のシューズは、靴のアッパー部及びソール部が、足の横断面形状に適合した形状の木型により作成されると共に、上記木型が幅方向内側に向かって傾斜した状態においてアッパー部及びソール部が形成されていることを特徴とする。【００１２】  即ち、請求項３記載のシューズにあっては、木型の形状に倣ってアッパー部及びソール部の形状が決定され、上記木型が幅方向内側に向かって傾斜していることにより、アッパー部及びソール部も幅方向内側に向かって傾斜することになる。【００１３】  また、請求項４記載のシューズは、上記木型は幅方向内側に５度傾斜してアッパー部及びソール部が形成されていることを特徴とする。【００１４】  即ち、請求項４記載のシューズにあっては、木型の形状に倣って形成されたアッパー部及びソール部も幅方向内側に５度傾斜した形状となる。【００１５】  また、請求項５記載のシューズは、上記ミッドソールが、幅方向内側部位と幅方向外側部位との間で硬度に約１０％〜２０％の差異があることを特徴とする。【００１６】  即ち、請求項５記載のシューズにあっては、幅方向内側部位と幅方向外側部位との間に存在する硬度差によって幅方向内側部位の変形量が調整されている。
【考案の効果】
【００１７】  請求項１記載のシューズは、着用して立った場合に、足の幅方向の内側部位が足の幅方向の外側部位よりも下方に位置するように構成されたことから、重心が足の幅方向内側部位にかかることになるので、足元が安定し、バックスウィングするときに、ショット方向の後方側に位置する足の幅方向外側部位へ重心が過剰に移動することがなくなり、これにより体がスウェーするのを防止することができる。
従って、スウィングするときに、体の中心軸が本来の位置からズレにくくなり、正しいフォームが崩れるのを防止することができる。その結果、ショットするときのフォームが安定して、望みの方向へ球を飛ばすことができる。
また、本考案に係るシューズを使用して歩行する際に、段差等に足を置いた場合であっても、重心が足の幅方向外側部位へ移動して足首が返るのを防止できるので、捻挫しにくくなる。重心がかかったときの、上記ミッドソールの圧縮変形を利用して容易に足の幅方向内側部位を足の幅方向外側部位よりも下方に位置させることができる。
また、重心のかけ具合でミッドソール内側部位の変形量を加減して足の幅方向内側部位の沈み量を調整することができる。従って、上記公知例のソールのごとく、底面傾斜角度が一定なために脚の形状に無理が生じるようなことがなく、楽な姿勢でプレイすることができる。
また、上記ミッドソールは上記のように変形するが、そのミッドソールはアウトソールと中底の間に配置されていることから、ミッドソールの変形の影響が足や地面に及ぶことがなく、中底により足に対する良好なフィット性が確保される。【００１８】  また、請求項３記載のシューズは、上記アウトソールの幅方向内側部には、地面に接地した場合に地面に食い込み得る複数の突起が設けられていることから、アウトソールにおける足の内側部位の地面に対するグリップ性が向上する。これにより、バックスウィングするときに足の幅方向内側部位が地面から浮き上がって重心が足の幅方向外側部位へ移動するのを防止することができる。従って、足元が安定し、スウェーしなくなり、フォームも安定して、思い通りのショットを放つことができる。【００１９】  また、請求項３記載のシューズは、靴のアッパー部及びソール部が、足の横断面形状に適合した形状の木型により作成されると共に、上記木型が幅方向内側に向かって傾斜した状態においてアッパー部及びソール部が形成されていることから、上記木型に倣って形成されたアッパー部及びソール部も幅方向内側に向かう傾斜を有することになる。
従って、上記ミッドソールの変形が小さくて十分な沈み量が得られない場合でも、このアッパー部とソール部の傾斜がそれを補うことになる。その結果、プレイヤーがこれを着用してティーグラウンドに立った場合に、足の幅方向の内側部位が足の幅方向の外側部位よりも下方に位置する状態が確実に確保されることになる。【００２０】  また、請求項４記載のシューズは、上記木型が幅方向内側に５度傾斜してアッパー部及びソール部が形成されていることから、アッパー部及びソール部も幅方向内側に５度に傾斜することになる。この傾斜角度５度は、足にとって履いた場合に違和感がない角度であり、履き心地が悪化することがない。
また、傾斜角度が５度より小さいと、傾斜が足らず、足の幅方向内側部位が外側部位よりも下方に位置する状態が確保しにくくなるが、５度にしたことにより確実に上記状態を確保することができる。
逆に、傾斜角度が５度よりも大きくなると、ソールの内側部位の変形と相俟って傾斜が過大になり、履いた場合に違和感が生じて履き心地が悪化するという不具合が生じるが、傾斜角度を５度に設定したことにより、そのような不具合を解消することができる。【００２１】  また、請求項５記載のシューズは、上記ミッドソールが、幅方向内側部位と幅方向外側部位との間で硬度に約１０％〜２０％の差異があることから、この硬度差によって重心がかかったときに幅方向内側部位が幅方向外側部位よりも圧縮しやすくなる。
その結果、幅方法内側部位が沈むような状態になって、ティーグラウンドに着用して立った場合に、足の幅方向の内側部位が足の幅方向の外側部位よりも下方に位置することになる。
これにより、足の幅方向の内側部位に重心がかかってバックスウィングする際にショット方向の後方側に位置する足の幅方向外側へ重心が過剰に移動することがなくなり、体がスウェーするのを防止することができる。
また、幅方向内側部位と幅方向外側部位との間に存在する硬度差が約１０％〜２０％であることから、幅方法内側部位の圧縮による沈み量が過小にも過大にもならず、適度な沈み量が得られるので、履いた場合に、足に違和感がなく、足元が安定する。
従って、ショットする際のフォームが安定し、望みの方向へ球を飛ばすことができる。
【考案を実施するための最良の形態】
【００２２】  以下、図面に基づき本考案の実施の形態について説明する。
本実施形態に係るゴルフシューズ１は、図１に示すように、着用して立った場合に、足の幅方向の内側部位が足の幅方向の外側部位よりも下方に位置するように構成されている。
また、靴のソール部２は、図１に示すように、足が接触する中底５と、接地面に接触するアウトソール６と、上記中底５とアウトソール６との間に配置されたミッドソール７とにより構成され、上記ミッドソール７は、幅方向の内側部位が幅方向外側部位よりも低い硬度の素材で形成されている。
また、上記アウトソール６の幅方向内側部位３には、図１に示すように、地面２３に接地した場合に地面に食い込み得る複数の突起１１が設けられている。
また、靴のアッパー１８部及びソール部２は、図３に示すような足の横断面形状に適合した形状の木型１９により作成されると共に、上記木型１９が幅方向内側に向かって傾斜した状態においてアッパー部１８及びソール部２が形成されている。
また、上記木型１９は、図３に示すように、幅方向内側に５度傾斜してアッパー部２０及びソール部２１が形成されている。
また、上記ミッドソール７は、幅方向内側部位と幅方向外側部位との間で硬度に約１０％〜２０％の差異があるように形成されている。
【実施例１】
【００２３】  以下、図示した本考案の実施例について説明する。
本実施例に係るゴルフシューズ１は、図１に示すように、着用して立った場合に、足の幅方向の内側部位が足の幅方向の外側部位よりも下方に位置するように構成されている。【００２４】  上記のように、足の幅方向の内側部位を足の幅方向の外側部位よりも下方に位置させるために、本実施例に係るゴルフシューズ１では、そのソール部２における幅方向内側部位３が幅方向外側部位４よりも軟らかく形成されている。【００２５】  上記ソール部２は、図１に示すように、三層構造に形成されている。即ち、足裏が接触する中底５と、地面２３（芝や草が生えている個所も含む）に接触するアウトソール６と、上記中底５とアウトソール６との間に配置されたミッドソール７とにより構成されている。
なお、実際に使用する場合は、一般的に上記中底５の上に中敷（図示せず）が敷設される。【００２６】  上記中敷（図示せず）は、履くだけで足に馴染みやすい変形性のスポンジを用いて形成されている。【００２７】  上記ソール部２における中間部に配置された上記ミッドソール７は、ＥＶＡ樹脂により形成されている。【００２８】  上記ミッドソール７は、幅方向の内側部位が幅方向外側部位よりも低い硬度の素材で形成されている。
即ち、図１に示すように、上記ミッドソール７の幅方向内側部位には、ソフトなＥＶＡ８が使用され、幅方向外側部位にはハードなＥＶＡ９が使用されている。【００２９】  上記ミッドソール７は、幅方向内側部位と幅方向外側部位との間で硬度に約１０％〜２０％の差異があるように形成されている。
本実施例に係るミッドソール７では、上記ソフトなＥＶＡ８が硬度６０度に設定され、又、上記ハードなＥＶＡ９が硬度７５度に設定されている。【００３０】  地面に接触する上記アウトソール６は硬質ラバー素材により形成されている。【００３１】  上記アウトソール６は、図２に示すように、その裏面部における幅方向内側部位に前後方向に沿って、土踏まず部位１０を除く部位に、複数の突起１１が形成されている。【００３２】  上記突起１１は、地面２３に接地した場合に、地面に食い込みやすい形状を有している。即ち、図１に示すように、先細の略逆円錐台形に形成されている。【００３３】  上記突起１１は、図１に示すように、幅方向外側部位４側から幅方向内側部位３側にかけて同一高さ寸法に形成されている。
この場合、上記のように、幅方向内側に５度傾斜する木型１９によりアッパー部１８及びソール部２が形成され、また、上記ミッドソール７は、ＥＶＡ８は硬度６０度に設定されてソフトに形成されると共に、又、ＥＶＡ９は硬度７５度に設定されてハードに形成されていることから、装用した場合には、靴１の幅方向外側部位４側の突起１１ｂよりも幅方向内方側部位３側の突起１１ａ側に、より装着者の重心がかかりグリップ性が良好になる。
なお、アスファルト道路を歩行する場合は、上記突起１１が道路に食い込まないので、上記突起１１の長さの違いにより、幅方向内側部位３の方が高くなるが、ソール部２に形成された傾斜と相殺することにより、結果的にソール部２は略水平になるので、歩行が困難になるという不具合はない。【００３４】  上記土踏まず部１０には、図２に示すように、スウィング時のソール部２の捩れを防ぐと共に、歩行時に重心を支えて疲れを軽減しうるように硬質樹脂で形成されたサイドプレート１２が配置されている。
このサイドプレート１２には幅方向に沿って複数の溝１３が平行に形成されている。【００３５】  また、図２に示すように、上記アウトソール６の裏面部における幅方向外側部位にも、前後方向に沿って硬質樹脂で形成された複数のサイドプレート１４が配置されている。
上記サイドプレート１４には、アウトソール６の幅方向外側の輪郭線に沿って滑り止め用の複数の溝１５が平行に形成され、それら溝１５により区画された部位に細長板状の凸部１６が形成されている。【００３６】  上記グリップ突起部１４は、アウトソール６の裏面部における幅方向外側部位４が地面２３に食い込みにくくなるように形成されている。
即ち、上記グリップ突起部１４に設けられた凸部１６は、地面２３に食い込みにくいように、図１に示すように、表面が平らに形成されている。【００３７】  また、アウトソール６の裏面部において、上記幅方向内側部位３に設けられた複数の突起１１の間には、地面に対するグリップ力を高めるために、図２に示すように、適宜な配置で複数のスパイクが１７取り付けられている。
また、アウトソール６の裏面部において、上記幅方向外側部位４における複数のサイドプレート１４の間にも、図２に示すように、適宜な配置で複数のスパイクが１７が取り付けられている【００３８】  上記ゴルフシューズ１の上記ソール部２と、ゴルフシューズ１のアッパー部１８は、図３に示すような足の横断面形状に適合した形状の木型１９により形成されている。【００３９】  上記木型１９は、図３に示すように、水平面に対し垂直な上下方向の軸線２２が幅方向内側に向かって５度傾斜させられて設置され、そのアッパー部２０及びソール部２１も幅方向内側に５度傾斜している。
従って、上記木型１９に倣って形成されたゴルフシューズ１のアッパー部１８及びソール部２も、図１に示すように、幅方向内側に向かって５度傾斜した状態で形成されている。【００４０】  本実施例に係るゴルフシューズ１は、プレイヤーがこれを着用してグラウンドに立った場合に、足の幅方向の内側部位が足の幅方向の外側部位よりも下方に位置するようになるので、足の幅方向内側部位に重心がかかるようになる。
従って、膝が開かず、足元が安定し、バックスウィングするときに、ショット方向の後方側に位置する足の幅方向外側部位へ重心が過剰に移動することがなくなり、これにより体がスウェーしなくなる。
その結果、スウィングするときに、体の中心軸が本来の位置からズレにくくなり、正しいフォームを維持することができる。これにより、ショットするときのフォームが安定して、望みの方向へ球を飛ばすことができる。
また、歩行する際には、重心が足の幅方向内側に位置することから、歩行路の段差、くぼみ等に足を置いた場合に重心足の幅方向外側へ移動して足首を捻る事態を防止できるため、足が捻挫しにくくなる。
また、ゴルフシューズ１のソール部２は、足が接触する中底５と、地面に接触するアウトソール６と、上記中底５とアウトソール６との間に配置されたミッドソール７とにより構成され、上記ミッドソール７は、幅方向の内側部位が幅方向外側部位よりも低い硬度の素材で形成されているので、重心がソール部２にかかった際に、上記ミッドソール７における内側部位が圧縮して、幅方向内側部位が沈む状態となる。
これにより、足の幅方向の内側部位が足の幅方向の外側部位よりも自然に下方へ位置する状態になる。
また、上記ミッドソール７は、幅方向内側部位と幅方向外側部位との間で硬度に約１０％〜２０％の差異があることから、幅方向内側部位が適度に圧縮され、その幅方向内側部位が過度に沈んだり、沈み量が足りないという不具合がない。
また、圧縮変形されるミッドソール７の上に中底５が配置されるので、足の裏にはミッドソール７の変形の影響が及ばず、中底５が足の裏に接触することにより良好なフィット感が得られる。
また、上記アウトソール６の幅方向内側部位３に形成された突起１１が、地面に接地した場合に地面に食い込むので、地面に対するグリップ性が向上する。
また、ゴルフシューズ１のアッパー部１８及びソール部２は、足の横断面形状に適合した形状の木型１９により容易かつ正確な形状に形成される。
そして、上記木型１９が幅方向内側に向かって５度傾斜していることから、上記アッパー部１８及びソール部２も、それに倣って、幅方向内側に向かって５度傾斜するように形成される。これにより、上記ミッドソール７の圧縮変形が不充分であっても、上記５度の傾斜がそれを補うことになるので、ソール部２の幅方向内側部位に確実に重心がかかり、足元が安定して体のスウェーが防止され、安定したフォームでナイスショットを放つことができる。
なお、上記実施の形態及び実施例にあっては、本考案に係るシューズをゴルフシューズに適用した場合を例に説明したが、上記実施の形態及び実施例に限定されず、スポーツシューズ又は一般の靴に関しても広く適用することができる。
【産業上の利用可能性】
【００４１】  本考案は、全てのシューズに適用可能である。
【図面の簡単な説明】
【００４２】
【図１】断面図である。
【図２】アウトソールの裏面図である。
【図３】木型の断面図である。
【符号の説明】
【００４３】１    ゴルフシューズ
２    ソール部
３    幅方向内側部位
４    幅方向外側部位
５    中底
６    アウトソール
７    ミッドソール
８    ソフトＥＶＡ
９    ハードＥＶＡ
１０  土踏まず部位
１１  突起
１２  サイドプレート
１３  溝
１４  グリップ突起部
１５  溝
１６  凸部
１７  スパイク
１８  アッパー部
１９  木型
２０  アッパー部
２１  ソール部
２２  軸線
２３  地面
【手続補正書】
【提出日】平成17年1月11日(2005.1.11)
【手続補正１】
【補正対象書類名】実用新案登録請求の範囲
【補正対象項目名】請求項１
【補正方法】変更
【補正の内容】
【請求項１】
着用して立った場合に、足の幅方向の内側部位が足の幅方向の外側部位よりも下方に位置するように構成され、上記靴のソール部は、靴内方に配設される中底と、接地面に接触するアウトソールと、上記中底とアウトソールとの間に配置されたミッドソールとにより構成され、上記ミッドソールは、幅方向の内側部位が幅方向外側部位よりも低い硬度の素材で形成されていることを特徴とするシューズ。